(57)【要約】  【課題】塗装対象とする部材の表面に塗装する場合に、複数の塗装禁止領域を簡単にマスクするための構造を提供すること。  【解決手段】本発明は、塗装対象部材の１面に設定された第１塗装禁止領域の周囲に壁状部材が形成され、前記第１塗装禁止領域を第１マスク部材でマスクする方法において、前記塗装対象部材の第１塗装禁止領域の壁状部材に、予め前記第１マスク部材を挿入し得る挿入部を形成しておき、塗装するときには、前記第１マスク部材を前記挿入部から挿入することによって、前記第１マスク部材で前記第１塗装禁止領域をマスクするようにした。【選択図】      図１
2005288233.tif 000002
【特許請求の範囲】
【請求項１】
塗装対象部材の１面に設定された第１塗装禁止領域の周囲に壁状部材が形成され、
前記第１塗装禁止領域を第１マスク部材でマスクする方法において、
前記塗装対象部材の第１塗装禁止領域の壁状部材に、予め前記第１マスク部材を挿入し得る挿入部を形成しておき、
塗装するときには、
前記第１マスク部材を前記挿入部から挿入することによって、前記第１マスク部材で前記第１塗装禁止領域をマスクすることを特徴とする塗装時のマスク方法。
【請求項２】
請求項１に記載のマスク方法に用いる塗装対象部材であって、
該塗装対象部材の１面に設定された第１塗装禁止領域の周囲には壁状部材が形成され
前記壁状部材には、第１マスク部材を挿入し得る挿入部が形成されていることを特徴とする塗装対象部材。
【請求項３】
塗装対象部材の１面に設定された第１塗装禁止領域の周囲に壁状部材が形成され、前記塗装対象部材の他の１面には第２塗装禁止領域が設定され、前記第１塗装禁止領域をマスクする第１マスク部材と、前記第２塗装禁止領域をマスクする第２マスク部材とを用いるマスク構造であって、
前記塗装対象部材の第１塗装禁止領域の壁状部材には、前記第１マスク部材を挿入し得る挿入部が形成され、
前記マスク治具は、前記第１マスク部材と前記第２マスク部材とが連結されて一体的に形成され、
前記第２マスク部材が前記第２塗装禁止領域に押し当てられるときに、前記第２マスク部材と連結されて一体的に形成された前記第１マスク部材が前記挿入部から挿入されて前記第１塗装禁止領域をマスクするように構成したことを特徴とするマスク構造。
【発明の詳細な説明】
【技術分野】
【０００１】
本発明は、塗装対象とする部材の表面に塗装する場合に、その一部の塗装しない領域を簡単にマスクするための構造に関するものである。
【背景技術】
【０００２】
電子機器等の筐体をアルミダイキャスト等の導体で形成し、その表面を塗装して使用するものがある。そのとき、表面の凹部の一部を導体を露出させて、電子部品の筐体アースに利用する場合がある。そのため、その部分を塗装しないことが要求されるので、その部分（塗装禁止領域）に表面側からマスク部材を押し当てて、その部分だけ塗布されないようにしていた。
また、塗装面に段差のある部材を部分的に塗装するためにマスク治具を使用する部分塗装方法が提案されている。（例えば、特許文献１参照）
【０００３】
【特許文献１】特開平１１−１９７５９０号公報
【発明の開示】
【発明が解決しようとする課題】
【０００４】
ところが、上述したような従来のマスク部材やマスク治具を使用する方法は、塗装前のマスキング等の準備が面倒であったり、マスク治具の制作が複雑であったりということで、塗装作業の能率が低下するという問題があった。
塗装禁止領域が１面だけであれば、何カ所であってもその部分をマスクするマスク部材は一体に形成して、押し当てることができるが、図３に示した例のように、塗装対象部材100の直交する２面100Ａ、100Ｂにそれぞれ塗装禁止領域Ｒａ、Ｒｂが形成され、一方の塗装禁止領域Ｒａの周囲に壁状部材200が形成されて、他方の塗装禁止領域Ｒｂの周囲にも凸条部200Ａが形成されている場合には、これらの壁状部材200や凸条部200Ａが邪魔になるため、何れの塗装禁止領域Ｒａ、Ｒｂをマスクするためのマスク部材410、420もそれぞれの塗装禁止領域Ｒａ、Ｒｂに対してほぼ直角な方向から押し当てる必要がある。
従って、このような場合には、両方のマスク部材410、420を一体に形成することは困難であり、図３に示したように、２つのマスク部材410、420に分割形成して、それぞれを押し当てる必要がある。
従って、塗装作業の能率が低下するという問題がある。
【０００５】
そこで、本発明は、塗装対象とする部材の表面に塗装する場合に、複数の塗装禁止領域を簡単にマスクするための構造を提供することを目的としてなされたものである。
【課題を解決するための手段】
【０００６】
本発明の請求項１の塗装時のマスク方法は、
塗装対象部材の１面に設定された第１塗装禁止領域の周囲に壁状部材が形成され、
前記第１塗装禁止領域を第１マスク部材でマスクする方法において、
前記塗装対象部材の第１塗装禁止領域の壁状部材に、予め前記第１マスク部材を挿入し得る挿入部を形成しておき、
塗装するときには、
前記第１マスク部材を前記挿入部から挿入することによって、前記第１マスク部材で前記第１塗装禁止領域をマスクすることを特徴としている。
請求項２の塗装対象部材は、
請求項１に記載のマスク方法に用いる塗装対象部材であって、
該塗装対象部材の１面に設定された第１塗装禁止領域の周囲には壁状部材が形成され
前記壁状部材には、第１マスク部材を挿入し得る挿入部が形成されていることを特徴としている。
請求項３のマスク構造は、
塗装対象部材の１面に設定された第１塗装禁止領域の周囲に壁状部材が形成され、前記塗装対象部材の他の１面には第２塗装禁止領域が設定され、前記第１塗装禁止領域をマスクする第１マスク部材と、前記第２塗装禁止領域をマスクする第２マスク部材とを用いるマスク構造であって、
前記塗装対象部材の第１塗装禁止領域の壁状部材には、前記第１マスク部材を挿入し得る挿入部が形成され、
前記マスク治具は、前記第１マスク部材と前記第２マスク部材とが連結されて一体的に形成され、
前記第２マスク部材が前記第２塗装禁止領域に押し当てられるときに、前記第２マスク部材と連結されて一体的に形成された前記第１マスク部材が前記挿入部から挿入されて前記第１塗装禁止領域をマスクするように構成したことを特徴としている。
【発明の効果】
【０００７】
本発明の請求項１の塗装時のマスク方法によれば、
塗装対象部材の１面に設定された第１塗装禁止領域の周囲に壁状部材が形成され、
前記第１塗装禁止領域を第１マスク部材でマスクする方法において、
前記塗装対象部材の第１塗装禁止領域の壁状部材に、予め前記第１マスク部材を挿入し得る挿入部を形成しておき、
塗装するときには、
前記第１マスク部材を前記挿入部から挿入することによって、前記第１マスク部材で前記第１塗装禁止領域をマスクできるようにしたので、
壁状部材に邪魔されることなく、第１マスク部材で第１塗装禁止領域をマスクすることができる。
請求項２の塗装対象部材は、
請求項１に記載のマスク方法に用いる塗装対象部材であって、
該塗装対象部材の１面に設定された第１塗装禁止領域の周囲には壁状部材が形成され、
前記壁状部材には、第１マスク部材を挿入し得る挿入部が形成されているので、
塗装するときには、
前記第１マスク部材を前記挿入部から挿入することによって、前記第１マスク部材で前記第１塗装禁止領域をマスクでき、
壁状部材に邪魔されることなく、第１マスク部材で第１塗装禁止領域をマスクすることができる。
請求項３のマスク構造は、
塗装対象部材の１面に設定された第１塗装禁止領域の周囲に壁状部材が形成され、前記塗装対象部材の他の１面には第２塗装禁止領域が設定され、前記第１塗装禁止領域をマスクする第１マスク部材と、前記第２塗装禁止領域をマスクする第２マスク部材とを用いるマスク構造であって、
前記塗装対象部材の第１塗装禁止領域の壁状部材には、前記第１マスク部材を挿入し得る挿入部が形成され、
前記マスク治具は、前記第１マスク部材と前記第２マスク部材とが連結されて一体的に形成され、
前記第２マスク部材が前記第２塗装禁止領域に押し当てられるときに、前記第２マスク部材と連結されて一体的に形成された前記第１マスク部材が前記挿入部から挿入されて前記第１塗装禁止領域をマスクするように構成したので、
塗装するときには、
前記第１マスク部材を前記挿入部から挿入することによって、前記第１マスク部材で前記第１塗装禁止領域をマスクできる。
従って、前記第１マスク部材と前記第２マスク部材とが連結されて一体的に形成されたマスク治具を用いて、第２塗装禁止領域をマスクするとともに、壁状部材で囲まれた第１塗装禁止領域もマスクすることが可能となったので、塗装作業の能率が改善されるという効果が得られる。
【発明を実施するための最良の形態】
【０００８】
以下に、本発明にかかる塗装時のマスク方法、塗装対象部材、およびマスク構造を、本発明にかかるマスク構造の実施の形態を示した図面に基づいて詳細に説明する。
図１は、本発明のマスク構造の実施形態を説明する斜視図である。
図１において、１はアルミ鋳物製の塗装対象部材であり、この塗装対象部材１を例にとって、請求項１に記載された塗装時のマスク方法、およびその方法に用いる塗装対象部材を説明する。
前記塗装対象部材１は概略形状が箱状であり、その１面である第１面１Ａの一部には第１塗装禁止領域Ｒが設定されており、前記第１面１Ａの周囲には壁状部材２が形成されている。
前記壁状部材２には挿入部としてのマスク通孔３が形成されている。このマスク通孔３は前記第１面１Ａとの段差が無いように形成されている。
なお、前記第１塗装禁止領域Ｒは、製品として組み立てられるときに取り付けられる電子部品が塗装対象部材１にアースされるようにするためのものである。
【０００９】
また、前記第１面と直交する他の１面である第２面は、殆ど全てが開口部１Ｂとなっている。この開口部１Ｂは、最終組み立て時においては、別部材の蓋が取り付けられるものであって、この開口部１Ｂから内部に塗料が吹き付けられることは禁止されている。従って、この開口部１Ｂは、特許請求の範囲に記載された第２塗装禁止領域に対応する部分である。
また、前記開口部１Ｂの一辺に位置する前記壁状部材２の一部２Ａは、前記開口部１Ｂより突出しており、前記開口部１Ｂの他の３辺も凸条部11、12、13によって縁取られている。従って、前記開口部１Ｂは凹部に形成された状態となっている。
【００１０】
前記マスク通孔３の周辺構造を説明するために、要部の側面断面図を図２に示した。図２において、
前記第１面１Ａの周囲には壁状部材２が形成されている。そして、前記開口部１Ｂの一辺に位置する前記壁状部材２の一部２Ａは前記開口部１Ｂより突出しているので、相対的に、前記開口部１Ｂは凹部に形成されていることになる。
また、前記マスク通孔３の内面３Ａと前記第１面１Ａとは段差がないように形成されている。
また、前記マスク通孔３は前記第１面１Ａの縁に開口しており、その開口部の周辺は前記第２マスク部材42で覆われてマスクされる領域である。
図２において、前記マスク治具４を前記塗装対象部材１に勘合した状態では、前記第1マスク部材41と第２マスク部材42の位置を破線で示した。
【００１１】
前記塗装対象部材１の前記第１面１Ａと平行な第３面１Ｃには、通孔14、15が形成されている。
なお、前記通孔14、15は、製品として組み立てられるときに電源コード等を挿通するためのものである。
【００１２】
４はマスク治具であり、前記開口部１Ｂに勘合し得る大きさ及び形状の第２マスク部材42を備えている。この第２マスク部材42は、前記開口部１Ｂに嵌めたときに、前記塗装対象部材１の内部に塗料が吹き込まないように蓋をするように構成されている。
前記マスク治具４には、また、前記第１塗装禁止領域をマスクするための第１マスク部材41が付設されている。この第１マスク部材41は、前記マスク通孔３に差し込み得る断面形状と大きさで、前記第１塗装禁止領域Ｒの面積に相当する面積に形成されている。
前記マスク治具４には、さらに、前記塗装対象部材１の第３面１Ｃに形成された通孔14、15を塞いで、内部に塗料が吹き込まないようにする板状部材43が付設されている。
【００１３】
次に、前記塗装対象部材１に前記マスク治具４を勘合させるマスク処理を説明する。
前記塗装対象部材１のマスク通孔３に前記マスク治具４の第１マスク部材41を差し込みながら、前記マスク治具４を押し当てると、前記板状部材43は前記14、15を内側から塞ぎ、前記第２マスク部材42は、前記開口部１Ｂに嵌まり込む。このようにして、マスク治具４と塗装対象部材１とは勘合されて結合される。特に、前記第１マスク部材41が前記マスク通孔３に挿入されているので、前記勘合状態は容易には解除されない。従って、マスク治具４に形成された支持部材44を塗装室内の支持体等に掛けることによって、塗装対象部材１を空中に浮かして支持する。
この状態で、周囲から塗料を噴霧する事によって、前記塗装対象部材１の表面を塗装するのである。このとき、前記第１非塗装領域Ｒと、第２非塗装領域としての開口部１Ｂとは、前記マスク治具４によってマスクされるので、所期の通り塗装されない。
【００１４】
なお、塗装対象部材の形状及び塗装禁止領域は、以上の例に限定されるものではなく、何れの形状の塗装対象部材であれ、塗装禁止領域の周囲に壁状部材が形成されていたり、塗装禁止領域が凹部に形成されている場合に、その周囲からマスク部材を非塗装領域へ挿入するための挿入部（マスク通孔に対応。）が形成され、実際に、その挿入部から挿入したマスク部材によって前記塗装禁止領域をマスクする構成は、本発明の技術的範囲に属するものである。
【実施例１】
【００１５】
本実施例においては、塗装対象部材１の内部構造に干渉しないように、マスク治具の細部構造を調整した。例えば、塗装対象部材１の内部に形成されている凸部材16や、開口部１Ｂの周囲に形成されている凸条17に応じて、マスク治具４の板条部材43に切欠き45を形成したり、第２マスク部材42に溝46を形成したりして、互いに干渉してマスク機能が損なわれないように調整した。
【産業上の利用可能性】
【００１６】
本発明は、種々の電子機器の筐体や、装飾品の塗装作業におけるマスク方法に利用することができる。
【図面の簡単な説明】
【００１７】
【図１】本発明にかかるマスク構造の実施形態を説明する斜視図である。
【図２】図１の要部の側面断面図である。
【図３】従来例のマスク構造を説明する斜視図である。
【符号の説明】
【００１８】
１  塗装対象部材
１Ａ  １面、第１面
Ｒ    第１塗装禁止領域
１Ｂ  他の１面、第２面、開口部、第２塗装禁止領域
２    壁状部材
３    挿入部、マスク通孔
４    マスク治具
41    第１マスク部材
42    第２マスク部材
【図１】
2005288233.tif 000003
【図２】
2005288233.tif 000004
【図３】
2005288233.tif 000005